(57)【要約】【課題】軸部材の長さを長くして使用の初期に柱状成形物を押し出す際に形成される空洞部を大きくすることなく、受皿部が軸部材や本体部から抜け出るのを回避できる繰り出し容器を提供する。【解決手段】雄ネジ部１６を備える軸部材１５を上面中央から立設させる基部１４と、軸部材１５を中心軸部分に配置して基部１４上に相対回転可能に設けられる中空円筒形状の本体部１３と、軸部材１５の雄ネジ部１６と螺合する雌ネジ孔１７が中央部分に形成されて軸部材１５に螺着される受皿部１８とを含み、本体部１３の基部１４に対する回転によって受皿部１８を軸方向に進退させて、柱状成形物１１の出し入れを行うようにした繰り出し容器１０であって、本体部１３の先端部分の内周面に凹溝１９が設けられており、受皿部１８の外周面に凸リブ２０が設けられており、凸リブ２０が凹溝１９に係止されることにより、本体部１３からの受皿部１８の抜けを防止する。【選択図】図１
2011083351.tif 000002
【特許請求の範囲】
【請求項１】
雄ネジ部を備える軸部材を上面中央から立設させる基部と、前記軸部材を中心軸部分に配置して前記基部上に相対回転可能に設けられる中空円筒形状の本体部と、前記軸部材の雄ネジ部と螺合する雌ネジ孔が中央部分に形成されて前記軸部材に螺着される受皿部とを含み、前記本体部の内周面と前記受皿部の外周面との間に設けられた軸方向へのスライドガイド部に案内させつつ、前記本体部の前記基部に対する回転によって前記受皿部を軸方向に進退させて、前記受皿部に装着された柱状成形物の前記本体部からの出し入れを行うようにした繰り出し容器であって、
前記本体部の軸方向先端部分の内周面に被係止部が設けられており、前記受皿部の外周面に係止部が設けられており、該係止部が前記被係止部に係止されることにより、前記本体部からの前記受皿部の抜けを防止する繰り出し容器。
【請求項２】
前記被係止部が、前記本体部の内周面に周方向に延設して設けられた凹溝又は凸リブからなり、前記係止部が、前記受皿部の外周面に周方向に延設して設けられた凸リブ又は凹溝からなる請求項１記載の繰り出し容器。
【請求項３】
前記被係止部が、前記本体部の内周面に周方向に延設して設けられた凹部又は凸部からなり、前記係止部が、前記受皿部の外周面に設けられた、軸方向後端側を接合基端部とし、軸方向先端側を自由端として斜めに延設して設けられた板バネ状部材からなる請求項１記載の繰り出し容器。
【請求項４】
前記受皿部の外周面に、縦方向に延設する縦リブが、周方向に間隔をおいて前記受皿部の外周面と前記本体部の内周面との間の隙間を埋めるようにして複数設けられている請求項１〜３のいずれかに記載の繰り出し容器。
【発明の詳細な説明】
【技術分野】
【０００１】
本発明は、繰り出し容器に関し、特にリップクリームやスティック糊等の柱状成形物を出入れ可能に収容した繰り出し容器に関する。
【背景技術】
【０００２】
リップクリームやスティック糊等の柱状成形物を出入れ可能に収容する容器として、図４に示すように、雄ネジ部４１を備える軸部材４２を上面中央から立設させる基部４３と、軸部材４２を中心軸部分に配置して基部４３上に相対回転可能に設けられる中空円筒形状の本体部４４と、軸部材４２の雄ネジ部４１と螺合する雌ネジ孔４５が中央部分に形成されて軸部材４２に螺着される受皿部４６とからなる繰り出し容器４０が知られている。
【０００３】
このような繰り出し容器では、リップクリームやスティック糊等の柱状成形物４７は、受皿部４６に下端部分が装着された状態で取り付けられ、使用時には、基部４３を本体部４４に対して一方向に相対回転させることで、軸部材４２の雄ネジ部４１と受皿部４６の雌ネジ孔４５との螺合によって受皿部４６が上昇し、本体部４４に収容されている柱状成形物４７が繰り出される。使用後は、本体部４４を基部４３に対して逆方向に相対回転させることで、受皿部４６が下降し、柱状成形物４７は本体部４４に収容される。本体部４４の内周面や受皿部４６の外周面には、本体部４４の軸方向と平行に延設する、縦長のリブや溝による軸方向へのスライドガイド部４８，４８’がそれぞれ設けられており、これらをスライド可能に係合させることで、本体部４４を基部４３に対して相対回転させる際に受皿部４６が共回りするのを防止して、受皿部４６を安定した状態で上昇又は下降させる。
【０００４】
一方、このような繰り出し容器４０では、受皿部４６を上昇させ続けると、軸部材４２の雄ネジ部４１と受皿部４６の雌ネジ孔４５との螺合が外れて受皿部４６が軸部材４２や本体部４４から抜け落ちてしまう場合がある。例えば、リップステック等を使用途中でバックやポケットに入れて保管している際に、繰り出し容器４０の基部４３や本体部４４に指やその他のものが不用意に接触して回転することにより、受皿部４６が上昇して軸部材４２や本体部４４からリップステック等ごと脱落することで、例えば本体部４４の先端部を覆って装着されたキャップにリップステック等が付着してしまう場合がある。これによってリップステック等を使用できなくなる。
【０００５】
このようなことから、受皿部を上昇させ続けた場合でも、受皿部が軸部材や本体部から抜け出てしまうのを回避できるようにした繰り出し容器も開発されている（例えば、特許文献１参照）。特許文献１の繰り出し容器では、軸部材の雄ネジ部よりも先端側に所定の長さだけねじ山の無い箇所を設けると共に、当該ねじ山の無い箇所の先端部近傍にねじ山を設ける。これによって、受皿部を上昇させても、所定の高さだけ上昇するとねじ山同士の噛み合いが外れ、受皿は空回りすることになると共に、先端のねじ山に受皿部が引っ掛かって軸部からは外れなくなる。
【先行技術文献】
【特許文献】
【０００６】
【特許文献１】特開２００２−３４６５２号公報
【発明の概要】
【発明が解決しようとする課題】
【０００７】
しかしながら、特許文献１の繰り出し容器では、軸部材の雄ネジ部よりも先端側に、さらに所定の長さだけねじ山の無い部分を設ける必要があるため、その分だけ柱状成形物の内部に軸部材が食い込む長さが長くなる。これによって、柱状成形物を押し出す際にこれの中央部分に形成される軸部材による空洞部４９（図４参照）の領域が大きくなり、使用の初期に柱状成形物の先端中央部に空洞部による穴が見えることになって外観が悪くなると共に、柱状成形物の強度が低下する。
【０００８】
本発明は、軸部材の長さを長くして使用の初期に柱状成形物を押し出す際に形成される空洞部を大きくすることなく、受皿部が軸部材や本体部から抜け出てしまうのを効果的に回避することのできる繰り出し容器を提供することを目的とする。
【課題を解決するための手段】
【０００９】
本発明は、雄ネジ部を備える軸部材を上面中央から立設させる基部と、前記軸部材を中心軸部分に配置して前記基部上に相対回転可能に設けられる中空円筒形状の本体部と、前記軸部材の雄ネジ部と螺合する雌ネジ孔が中央部分に形成されて前記軸部材に螺着される受皿部とを含み、前記本体部の内周面と前記受皿部の外周面との間に設けられた軸方向へのスライドガイド部に案内させつつ、前記本体部の前記基部に対する回転によって前記受皿部を軸方向に進退させて、前記受皿部に装着された柱状成形物の前記本体部からの出し入れを行うようにした繰り出し容器であって、前記本体部の軸方向先端部分の内周面に被係止部が設けられており、前記受皿部の外周面に係止部が設けられており、該係止部が前記被係止部に係止されることにより、前記本体部からの前記受皿部の抜けを防止する繰り出し容器を提供することにより、上記目的を達成したものである。
【発明の効果】
【００１０】
本発明の繰り出し容器によれば、軸部材の長さを長くして使用の初期に柱状成形物を押し出す際に形成される空洞部を大きくすることなく、受皿部が軸部材や本体部から抜け出てしまうのを効果的に回避することができる。
【図面の簡単な説明】
【００１１】
【図１】本発明の好ましい一実施形態に係る繰り出し容器の構成を説明する略示縦断面図である。
【図２】受皿部の外周面に設けられた係止部の他の形態を例示する略示縦断面図である。
【図３】（ａ）は受皿部の他の形態を例示する略示縦断面図、（ｂ）及び（ｃ）は（ａ）のＡ−Ａに沿った略示端面図である。
【図４】従来の繰り出し容器を説明する縦断面図である。
【発明を実施するための形態】
【００１２】
図１に示す本発明の好ましい一実施形態に係る繰り出し容器１０は、柱状成形物１１として、例えばリップクリームを出入れ可能に収容する円筒状の容器である。繰り出し容器１０は、キャップ１２を取り外して、円筒状の本体部１３に対して基部１４を一方向に相対回転させることで、受皿部１８と共に柱状成形物１１を上昇させ、柱状成形物１１を本体部１３から繰り出して使用できるようになっている。使用後は、基部１４を本体部１３に対して逆方向に相対回転させることで、受皿部１８と共に柱状成形物１１を下降させ、柱状成形物１１を本体部１３の内部に収容できるようになっている。そして、本実施形態の繰り出し容器１０は、基部１４を本体部１３に対して一方向に相対回転させ続けた場合でも、受皿部１８と共に柱状成形物１１が軸部材１５や本体部１３から抜け出てしまうのを回避できる機能を備える。
【００１３】
すなわち、本実施形態の繰り出し容器１０は、雄ネジ部１６を備える軸部材１５を上面中央から立設させる基部１４と、軸部材１５を中心軸部分に配置して基部１４上に相対回転可能に設けられる中空円筒形状の本体部１３と、軸部材１５の雄ネジ部１６と螺合する雌ネジ孔１７が中央部分に形成されて軸部材１５に螺着される受皿部１８とを含み、本体部１３の内周面と受皿部１８の外周面との間に設けられた軸方向へのスライドガイド部（図示せず）に案内させつつ、本体部１３の基部１４に対する回転によって受皿部１８を軸方向に進退させて、受皿部１８に装着された柱状成形物１１の本体部１３からの出し入れを行うようにした容器であって、本体部１３の軸方向先端部分の内周面に被係止部１９が設けられており、受皿部１８の外周面に係止部２０が設けられており、係止部２０が被係止部１９に係止されることにより、本体部１３からの受皿部１８の抜けを防止するようになっている。
【００１４】
また、本実施形態では、被係止部１９が、本体部１３の内周面に周方向に延設して設けられた凹溝からなり、係止部２０が、受皿部１８の外周面に周方向に延設して設けられた凸リブからなる。
【００１５】
本実施形態では、基部１４は、例えばプラスチック成形品であって、扁平な円筒状の脚部１４ａと、脚部１４ａの上縁部に一体接合された円環帯板形状の台座部１４ｂと、台座部１４ｂの内側縁部に一体接合されて上方に突出する扁平な円柱形状の回転ガイド部１４ｃとからなる。回転ガイド部１４ｃの天面中央から垂直に立設して、軸部材１５が、回転ガイド部１４ｃに一体接合されて設けられている。軸部材１５の外周面には、略全長に亘ってネジ山が設けられており、これによって雄ネジ部１６が形成される。
【００１６】
本体部１３は、例えばプラスチック成形品であって、上端が開口面となった中空円筒形状を有すると共に、下端に円環帯板形状の載置板１３ａが一体として設けられている。載置板１３ａの中央部分の装着穴１３ｂを、基部１４の回転ガイド部１４ｃの外周面に沿って回転可能に嵌合装着すると共に、載置板１３ａを基部１４の台座部１４ｂの上に載置することで、本体部１３は、回転ガイド部１４ｃにガイドされて安定した状態で相対回転可能に基部１４に取り付けられる。また、本体部１３の内周面には、本体部１３の軸方向と平行に延設する縦長のスライドガイド係止溝（図示せず）が、例えば径方向に対向する位置に一対設けられている。スライドガイド係止溝は、後述する受皿部１８に設けられたスライドガイド係止リブと共に軸方向へのスライドガイド部を構成する。
【００１７】
さらに、本実施形態では、本体部１３の軸方向先端部分の内周面には、例えば断面円弧状の凹溝からなる被係止部１９が、周方向に全周に亘って延設して設けられている。
【００１８】
受皿部１８は、例えばプラスチック成形品であって、上端が開口面となった扁平な有底円筒形状に形成される。受皿部１８には、柱状成形物１１の下端部分が一体として装着される。受皿部１８は、その底面板１８ａの中央部分から立設する雌ネジスリーブ１８ｂを有している。雌ネジスリーブ１８ｂの内側には、受皿部１８を上下に貫通する雌ネジ孔１７が設けられている。雌ネジ孔１７を介して受皿部１８が軸部材１５の雄ネジ部１６に螺着されることで、受皿部１８は、基部１４の本体部１３に対する回転に伴って、軸部材１５に沿って上下に昇降できるようになっている。また、受皿部１８の外周面には、本体部１３の軸方向と平行に延設する縦長のスライドガイド係止リブ（図示せず）が、例えば径方向に背向する位置に一対設けられている。スライドガイド係止リブは、上述のスライドガイド係止溝に軸方向（上下方向）にスライド可能に係止されて、基部１４の本体部１３に対する回転に伴って、受皿部１８を共回りさせることなく、安定した状態で上下に昇降させるようになっている。
【００１９】
さらに、本実施形態では、受皿部１８の軸方向先端部分の外周面には、例えば断面円弧状の凸リブからなる係止部２０が、周方向に全周に亘って延設して設けられている。
【００２０】
キャップ１２は、例えばプラスチック成形品であって、有天円筒形状に形成される。キャップ１２は、本体部１３の上端部外周面に形成された装着段差部１３ｃに下端部分が嵌め込まれることで、本体部１３の上端の開口面を覆うようにして着脱可能に装着される。
【００２１】
上述の構成を備える本実施形態の繰り出し容器１０では、受皿部１８を本体部１３内の最下部まで下降させた状態で、本体部１３の内部に流動状態の柱状成形物１１を充填して固形化させたり、固形化した柱状成形物１１を押し込むようにして装填することで、柱状成形物１１の下端部分を受皿部１８に一体として装着せて、柱状成形物１１が受皿部１８と共に上下に昇降可能な状態で製品化される。使用者は、キャップ１２を取り外した後に、基部１４を本体部１３に対して相対回転させ、軸部材１５に沿って受皿部１８と共に柱状成形物１１を上昇させて繰り出したり、受皿部１８と共に柱状成形物１１を下降させて本体部１３に収容したりしながら繰り出し容器１０を使用する。
【００２２】
そして、本実施形態の繰り出し容器１０では、例えば柱状成形物１１が残り少なくなって、受皿部１８が軸部材１５の上端部分に配置されて柱状成形物１１が本体部１３に収容されている状態で、例えばバックやポケットに入れて保管されている際に、繰り出し容器１０の基部１４や本体部１３に指やその他のものが接触して不用意に回転することにより、受皿部１８や柱状成形物１１がさらに上昇した場合でも、受皿部１８や柱状成形物１１が軸部材１５や本体部１３から脱落したり、柱状成形物１１がキャップ１２の内部で付着したりつぶれたりするのを、効果的に回避することが可能になる。
【００２３】
すなわち、本実施形態によれば、本体部１３の先端部分の内周面に凹溝による被係止部１９が、受皿部１８の先端部分の外周面に凸リブによる係止部２０が設けられているので、受皿部１８が軸部材１５の上端部分に配置された状態からさらに上昇した場合でも、係止部２０が被係止部１９に係止されることにより、受皿部１８や柱状成形物１１が軸部材１５や本体部１３から脱落するのを効果的に回避することが可能になる。
【００２４】
したがって、本実施形態によれば、軸部材１５の長さを長くして使用の初期に柱状成形物１１を押し出す際に形成される空洞部を大きくすることなく、受皿部１８が軸部材１５や本体部１３から抜け出てしまうのを効果的に回避することが可能になる。
【００２５】
図２は、受皿部１８の外周面に設けられた係止部２１の他の形態を例示する略示縦断面図である。図２に示す形態によれば、係止部２１は、受皿部１８の外周面に設けられた、軸方向後端側を接合基端部２１ａとし、軸方向先端側を自由端２１ｂとして斜めに延設して設けられた板バネ状部材からなる。図２に示す係止部２１によれば、柱状成形物１１を受皿部１８と共に昇降させる際には、受皿部１８の外周面と本体部１３の内周面との間の隙間を板バネ状部材によって埋めるようにして、受皿部１８を安定した状態で昇降させることが可能になると共に、受皿部１８をさらに上昇させた際には、自由端２１ｂが本体部１３の軸方向先端部分の内周面に設けられた凹部又は凸部による被係止部に係止されて、上記実施形態と同様の作用効果を奏することになる。また、受皿部１８の外周面と本体部１３の内周面との間の抵抗が増すことで、自然の繰り上がりが抑制されて、さらに効果的に受皿部１８が軸部材１５や本体部１３から抜け出てしまうのを防止することが可能になる。
【００２６】
図３（ａ）〜（ｃ）は、受皿部１８’の他の形態を例示する略示縦断面図及び略示横断面図である。図３（ａ）〜（ｃ）に示す形態によれば、受皿部１８’は、上記実施形態の受皿部１８と同様に、受皿部１８’の軸方向先端部分の外周面に断面円弧状の凸リブからなる係止部２０が設けられている。また、受皿部１８’の外周面に、縦方向に延設する縦リブ２２が、周方向に間隔をおいて受皿部１８’の外周面と本体部１３の内周面との間の隙間を埋めるようにして複数設けられている。好ましくは、縦リブ２２を９０度の等角度ピッチで４箇所に設けたり（図３（ｂ）参照）、４５度の等角度ピッチで８箇所に設けることができる（図３（ｃ）参照）。図３（ａ）〜（ｃ）に示す受皿部１８’によっても、上記実施形態と同様の作用効果を奏することになる。また、受皿部１８’の外周面に設けられた縦リブ２２によって、受皿部１８’の外周面と本体部１３の内周面との間のクリアランスを極力減らして、これらの間の抵抗が増すことで、自然の繰り上がりが抑制されてさらに効果的に受皿部１８’が軸部材１５や本体部１３から抜け出てしまうのを防止することが可能になる。
【００２７】
なお、本発明は上記実施形態に限定されることなく種々の変更が可能である。例えば、本体部の内周面に設けられた被係止部が凹溝であり、受皿部の外周面に設けられた係止部が凸リブである必要は必ずしも無く、被係止部が凸リブで、係止部が凹溝であっても良い。凸リブや凹溝は、本体部や受皿部の全周に設けられている必要は必ずしも無く、断続的に設けられていたり、周方向の一部にのみ設けられていたり、スライドガイドのリブや溝部のみ設けられていても良い。被係止部や係止部は、点状のが凹部や凸部であっても良い。また、繰り出し容器に収容されて繰り出される柱状成形物は、リップクリームやスティック糊の他、口紅、アイライナー、コンシーラー等であっても良い。
【符号の説明】
【００２８】
１０  繰り出し容器
１１  柱状成形物
１２  キャップ
１３  本体部
１４  基部
１５  軸部材
１６  雄ネジ部
１７  雌ネジ孔
１８，１８’  受皿部
１９  被係止部
２０，２１  係止部
２１ａ  接合基端部
２１ｂ  自由端
２２  縦リブ
【図１】
2011083351.tif 000003
【図２】
2011083351.tif 000004
【図３】
2011083351.tif 000005
【図４】
2011083351.tif 000006